(57)【特許請求の範囲】
【請求項１】
入力信号に含まれる所望の信号成分を抽出する複数段の特性の揃ったフィルタ手段と、
前記各フィルタ手段で抽出される信号成分を所定の移相量で移相させて移相信号を生成する移相手段と、
前記各フィルタ手段で抽出される前記信号成分と前記移相手段で生成される前記移相信号とを三角関数の加法定理を用いた演算処理を行って、前記信号成分の位相差を検出する位相差検出手段と、
前記各フィルタ手段で抽出される前記信号成分と前記移相信号とを、前記位相差検出手段が検出した前記位相差で移相処理することにより、前記位相差を補正した補正信号成分を生成する位相差補正手段と、
を具備し、
前記フィルタ手段による前記抽出の際に前記信号成分に生じる位相差を補正し、位相差を補正した前記補正信号成分を生成することを特徴とする位相補正回路。
【請求項２】
入力信号に含まれる所望の信号成分を抽出する複数段の特性の揃った第１のフィルタ手段と、
前記入力信号を所定の移相量で移相する移相手段と、
前記入力信号に含まれる所望の信号成分が前記移相量で移相された移相信号を、前記移相手段の出力信号から抽出する、前記第１のフィルタ手段と特性の揃った第２のフィルタ手段と、
前記第１のフィルタ手段から抽出される前記信号成分と前記第２のフィルタ手段から抽出される前記移相信号とを三角関数の加法定理を用いた演算処理を行って、前記信号成分の位相差を検出する位相差検出手段と、
前記第１のフィルタ手段から抽出される前記信号成分と前記第２のフィルタ手段から抽出される前記移相信号とを、前記位相差検出手段が検出した前記位相差で移相処理することにより、前記位相差を補正した補正信号成分を生成する位相差補正手段と、
を具備し、
前記第１のフィルタ手段による前記抽出の際に前記信号成分に生じる位相差を補正し、位相差を補正した前記補正信号成分を生成することを特徴とする位相補正回路。
【請求項３】
前記移相量は、π／２又は−π／２であること、を特徴とする請求項１又は２に記載の位相補正回路。
【請求項４】
前記位相差検出手段は、前記検出した位相差をパラメータとする直交関数の信号を生成し、
前記位相差補正手段は、前記直交関数の信号に基づいて、前記信号成分と前記移相信号とを移相処理することにより、前記位相差を補正した信号成分を生成すること、
を特徴とする請求項１〜３の何れか１項に記載の位相補正回路。
【請求項５】
入力信号に含まれる所望の信号成分を複数段の特性の揃ったフィルタ手段によって抽出する抽出工程と、
前記抽出工程で抽出される信号成分を所定の移相量で移相させて移相信号を生成する移相工程と、
前記抽出工程で抽出される前記信号成分と前記移相工程で生成される前記移相信号とを三角関数の加法定理を用いた演算処理を行って、前記信号成分の位相差を検出する位相差検出工程と、
前記信号成分と前記移相信号とを、前記位相差検出工程で検出した前記位相差で移相処理することにより、前記位相差を補正した補正信号成分を生成する位相差補正工程と、
を具備し、
前記抽出工程において前記フィルタ手段による前記抽出の際に前記信号成分に生じる位相差を補正し、位相差を補正した前記補正信号成分を生成することを特徴とする位相補正方法。
【請求項６】
入力信号に含まれる所望の信号成分を複数段の特性の揃った第１のフィルタ手段によって抽出する信号成分抽出工程と、
前記入力信号を所定の移相量で移相する移相工程と、
前記入力信号に含まれる所望の信号成分が前記移相量で移相された移相信号を、前記第１のフィルタ手段と特性の揃った第２のフィルタ手段によって、前記移相工程で移相された信号から抽出する位相信号抽出工程と、
前記信号成分抽出工程で抽出される前記信号成分と前記移相信号抽出工程で抽出される前記移相信号とを三角関数の加法定理を用いた演算処理を行って、前記信号成分の位相差を検出する位相差検出工程と、
前記信号成分と前記移相信号とを、前記位相差検出工程で検出した前記位相差で移相処理することにより、前記位相差を補正した補正信号成分を生成する位相差補正工程と、
を具備し、
前記信号成分抽出工程において前記第１のフィルタ手段による前記抽出の際に前記信号成分に生じる位相差を補正し、位相差を補正した前記補正信号成分を生成することを特徴とする位相補正回路。
【発明の詳細な説明】
【技術分野】
【０００１】
本発明は、信号処理の際に位相ズレを生じることなく所望の信号成分を抽出等するための位相補正回路に関する。
【背景技術】
【０００２】
信号処理の際に所望の信号成分を抽出するための技術として、例えば、ＦＭ受信機の検波器で検波されたＦＭ検波信号から、復調等の信号処理に利用するためのパイロット信号を抽出するパイロット信号抽出回路が知られている。【０００３】
従来、このパイロット信号抽出回路では、一般的に、Ｑ（Q factor）の高いバンドパスフィルタによってＦＭ検波信号に含まれている１９ｋＨｚのパイロット信号を周波数分離して取り出し、更にバンドパスフィルタを通過する際に生じるパイロット信号の位相ズレをＰＬＬ回路で補正することにより、位相ズレの無いパイロット信号を抽出するようにしている。また、上述のＱの高いバンドパスフィルタを通過する際に位相ズレが生じたパイロット信号を、１９ｋＨｚの整数倍のサンプリングクロックに同期してサンプリングし、そのサンプリングしたディジタル信号をディジタル信号処理することにより、位相ズレの無いパイロット信号を生成するようにしている。
【発明の開示】
【発明が解決しようとする課題】
【０００４】
ところが、バンドパスフィルタとＰＬＬ回路によってパイロット信号を抽出する上記従来のパイロット信号抽出回路では、ＰＬＬ回路がパイロット信号に位相ロックするための処理過程で遅延が生じることから、最大セパレーションが取れない場合を生じるという問題の他、同期が取れていないパイロット信号で復調した音声信号をスピーカで再生した場合に、音ゆれが生じる等の問題があった。【０００５】
また、バンドパスフィルタで取り出されたパイロット信号の位相ズレをディジタル信号処理によって補正する上記従来のパイロット信号抽出回路では、ＦＭ波に含まれているパイロット信号の周波数精度やサンプリングクロックの精度に依存して、更なる位相ズレが生じる等の問題があった。【０００６】
本発明は、このような従来の問題に鑑みてなされたものであり、高速処理が可能で、位相ズレを精度良く補正して所望の信号成分を抽出等することが可能な位相補正回路を提供することを目的とする。【０００７】
また、ＦＭ検波信号からパイロット信号を抽出するためだけでなく、広い分野で利用可能な汎用性を有する位相補正回路を提供することを目的とする。
【課題を解決するための手段】
【０００８】
請求項１に記載の位相補正回路の発明は、入力信号に含まれる所望の信号成分を抽出する複数段の特性の揃ったフィルタ手段と、前記各フィルタ手段で抽出される信号成分を所定の移相量で移相させて移相信号を生成する移相手段と、前記各フィルタ手段で抽出される前記信号成分と前記移相手段で生成される前記移相信号とを三角関数の加法定理を用いた演算処理を行って、前記信号成分の位相差を検出する位相差検出手段と、前記各フィルタ手段で抽出される前記信号成分と前記移相信号とを、前記位相差検出手段が検出した前記位相差で移相処理することにより、前記位相差を補正した補正信号成分を生成する位相差補正手段と、を具備し、前記フィルタ手段による前記抽出の際に前記信号成分に生じる位相差を補正し、位相差を補正した前記補正信号成分を生成することを特徴とする。
【０００９】
請求項２に記載の位相補正回路の発明は、入力信号に含まれる所望の信号成分を抽出する複数段の特性の揃った第１のフィルタ手段と、前記入力信号を所定の移相量で移相する移相手段と、前記入力信号に含まれる所望の信号成分が前記移相量で移相された移相信号を、前記移相手段の出力信号から抽出する、前記第１のフィルタ手段と特性の揃った第２のフィルタ手段と、前記第１のフィルタ手段から抽出される前記信号成分と前記第２のフィルタ手段から抽出される前記移相信号とを三角関数の加法定理を用いた演算処理を行って、前記信号成分の位相差を検出する位相差検出手段と、前記第１のフィルタ手段から抽出される前記信号成分と前記第２のフィルタ手段から抽出される前記移相信号とを、前記位相差検出手段が検出した前記位相差で移相処理することにより、前記位相差を補正した補正信号成分を生成する位相差補正手段と、を具備し、前記第１のフィルタ手段による前記抽出の際に前記信号成分に生じる位相差を補正し、位相差を補正した前記補正信号成分を生成することを特徴とする。
【図面の簡単な説明】
【００１０】
【図１】好適な実施形態に係る位相補正回路の構成を表したブロック図である。
【図２】実施例の位相補正回路の構成を表したブロック図である。
【図３】他の実施例の位相補正回路の構成を表したブロック図である。
【図４】更に他の実施例の位相補正回路の構成を表したブロック図である。
【発明を実施するための最良の形態】
【００１１】
本発明の好適な実施形態について図１を参照して説明する。図１は本実施形態の位相補正回路の構成を表したブロック図である。【００１２】
図１において、この位相補正回路１は、入力信号Ｓinに含まれている所望の周波数ｆの信号成分のみを通過させる複数のバンドパスフィルタＢＰＦ１，ＢＰＦ２を備えた信号抽出部２と、移相部３と、位相差検出部４と、位相差補正部５とを有して構成されている。【００１３】
上述の直列接続されているバンドパスフィルタＢＰＦ１，ＢＰＦ２は共に、上述の周波数ｆを中心周波数とし、入力信号Ｓinに含まれている上記所望の信号成分を通過させるための通過域を有する、特性の揃ったバントパスフィルタで形成されている。そして、前段側のバンドパスフィルタＢＰＦ１が入力信号Ｓin内の所望の周波数ｆの信号成分Ｓ１を通過させ、後段側のバンドパスフィルタＢＰＦ２が、信号成分Ｓ１を更に通過させて信号成分Ｓ２として出力する。【００１４】
したがって、次式（１-ａ）に示すように、入力信号Ｓinに含まれている所望の信号成分を正弦波Ａｓｉｎ(ωt)、他の信号成分をｆ(t)で表し、更に、バンドパスフィルタＢＰＦ１，ＢＰＦ２を通過した信号成分の各位相差（位相ズレ）をαとすると、バンドパスフィルタＢＰＦ１から出力される信号成分Ｓ１は、次式（１-ｂ）で表されるように、位相差αだけずれることとなり、バンドパスフィルタＢＰＦ２から出力される信号成分Ｓ２は、次式（１-ｃ）で表されるように、位相差２αだけずれることとなる。【００１５】
【数１】
0004588760.tif 000002
【００１６】
移相部３は、バンドパスフィルタＢＰＦ１，ＢＰＦ２から出力される各々の信号成分Ｓ１，Ｓ２をπ／２の位相で移相し、その移相した信号（以下「移相信号」と称する）Ｐ１，Ｐ２を出力する。【００１７】
したがって、信号成分Ｓ１，Ｓ２は夫々次式（２-ａ），（２-ｂ）で表される移相信号Ｐ１，Ｐ２となって出力される。【００１８】
【数２】
0004588760.tif 000003
【００１９】
位相差検出部４は、バンドパスフィルタＢＰＦ１，ＢＰＦ２からの信号成分Ｓ１，Ｓ２と移相部３からの移相信号Ｐ１，Ｐ２とを入力し、三角関数の加法定理を用いた演算処理を行うことで、信号成分Ｓ１とＳ２との位相差と、信号成分Ｓ２と移相信号Ｐ１との位相差と、信号成分Ｓ１と移相信号Ｐ２との位相差と、移相信号Ｐ１とＰ２との位相差を検出し、次式（３-ａ），（３-ｂ）に示すように、検出した各位相差αをパラメータとする直交関数の信号Ｅ１，Ｅ２、すなわち、正弦波Ｂｓｉｎ（α）で表される位相差検出信号Ｅ１と、余弦波Ｂｃｏｓ（α）で表される位相差検出信号Ｅ２を出力する。【００２０】
【数３】
0004588760.tif 000004
【００２１】
位相差補正部５は、位相差検出信号Ｅ１，Ｅ２に基づいて、移相信号Ｐ１と信号成分Ｓ１とを移相処理することにより、位相差αを補正した信号成分である出力信号Ｓoutを生成して出力する。【００２２】
すなわち、位相差補正部５は、次式（４）の行列式で表される移相処理を行うことにより、入力信号Ｓinに含まれている信号成分Ａｓｉｎ(ωt)と同じ位相の信号成分Ｋｓｉｎ(ωt)を出力信号Ｓoutとして出力し、又は、入力信号Ｓinに含まれている信号成分Ａｓｉｎ(ωt)に対してπ／２だけ位相シフトされた信号成分Ｋｃｏｓ(ωt)を出力信号Ｓoutとして出力する。そして、本実施形態の位相補正回路１の利用形態に応じて、信号成分Ｋｓｉｎ(ωt)と信号成分Ｋｃｏｓ(ωt)の何れか一方、又は両者を出力信号Ｓoutとして出力する。なお、係数Ｋは振幅を表している。【００２３】
【数４】
0004588760.tif 000005
【００２４】
より詳細に述べれば、位相差補正部５は、上記式（４）を展開することで得られる次式（５-ａ），（５-ｂ）で表される処理（三角関数の加法定理を用いた演算処理）を行うことで、バンドパスフィルタＢＰＦ１，ＢＰＦ２の位相差（位相ズレ）αを補正した信号成分Ｋｃｏｓ(ωt)，Ｋｓｉｎ(ωt)を生成し、出力信号Ｓoutとして出力する。【００２５】
【数５】
0004588760.tif 000006
【００２６】
以上に説明したように、本実施形態の位相補正回路１は、特性の揃ったバンドパスフィルタＢＰＦ１，ＢＰＦ２によって入力信号Ｓinから抽出された信号成分Ｓ１，Ｓ２と、それらの信号成分Ｓ１，Ｓ２をπ／２の位相で移相させた移相信号Ｐ１，Ｐ２とに基づいて、位相差検出部４が信号成分Ｓ１，Ｓ２の位相差（位相ズレ）αを検出し、更に、位相差補正部５が、その検出された位相差αをパラメータとする直交関数である位相差検出信号Ｅ１，Ｅ２に基づいて、移相信号Ｐ１と信号成分Ｓ１を移相処理することにより、位相ズレを補正した信号成分を生成し、出力信号Ｓoutとして出力することができる。【００２７】
このように、本実施形態の位相補正回路１によれば、入力信号Ｓinから所望の信号成分を抽出して出力信号Ｓoutを出力するまでの工程に、フィードバックループが存在しないことから、極めて迅速に、位相ズレを補正した出力信号Ｓoutを生成することができる。【００２８】
このため、具体的事例として、受信機で検波されたＦＭ検波信号を入力信号Ｓinとし、バンドパスフィルタＢＰＦ１，ＢＰＦ２の中心周波数ｆを１９ｋＨｚとすることで、ＦＭ検波信号に含まれているパイロット信号を抽出するような場合に、位相ズレを補正したパイロット信号を瞬時に抽出することができ、また、その抽出したパイロット信号に同期してＦＭ検波信号を復調等して音声信号を生成してスピーカに供給すると、音ゆれの無い音を再生させることができる。【００２９】
また、本実施形態の位相補正回路１は、アナログ信号処理を行うアナログ回路で形成することも可能であるし、ディジタル信号処理を行うディジタル回路で形成することも可能である。例えば、バンドパスフィルタＢＰＦ１，ＢＰＦ２をナイキスト周波数より高周波数のサンプリングクロックに同期してディジタルフィルタリングの処理を行うディジタルフィルタで形成すると供に、移相部３と位相差検出部４及び位相差補正部５も同様にそのサンプリングクロックに同期してディジタル信号処理を行うディジタル回路で形成して、上述のサンプリングクロックのサンプリング周波数でアナログディジタル変換されたディジタル信号を入力信号Ｓinとして処理することで、位相ズレを補正した所望の信号成分を、ディジタル信号から成る出力信号Ｓoutとして生成することができる。【００３０】
そして、位相補正回路１をディジタル回路で形成した場合には、所望の信号成分の周波数精度やサンプリングクロックの精度に依存することなく、精度良く位相ズレを補正し、ディジタル信号から成る出力信号Ｓoutを生成して出力することができる。【００３１】
また、以上の説明では、移相部３における信号成分Ｓ１，Ｓ２に対する移相量が、π／２となっているが、−π／２の位相で移相する構成としてもよい。【００３２】
また、以上の説明では、上記式（４），（５-ａ），（５-ｂ）に示したように、位相差補正部５が、位相差検出信号Ｅ１，Ｅ２に基づいて位相信号Ｐ１と信号成分Ｓ１を移相処理することで、位相ズレを補正した出力信号Ｓoutを生成することとしているが、次式（６）で表されるように、位相差２αで位相ズレしている位相信号Ｐ２と信号成分Ｓ２とを、位相差２αをパラメータとする直交関数である位相差検出信号Ｅ12，Ｅ22に基づいて移相処理を行うことで、位相ズレを補正した出力信号Ｓoutを生成する構成としても良い。【００３３】
【数６】
0004588760.tif 000007
【００３４】
また、図１に示した位相補正回路１では、２個のバンドパスフィルタＢＰＦ１，ＢＰＦ２を備えた構成となっているが、本実施形態の位相補正回路は拡張性を有しており、特性が同じｎ個（ｎは２以上の数）のバンドパスフィルタＢＰＦ１〜ＢＰＦｎを直列に接続する構成とした場合に、それらのバンドパスフィルタＢＰＦ１〜ＢＰＦｎのうちの任意のバンドパスフィルタで生じる位相ズレを補正して、位相ズレの無い出力信号Ｓoutを生成することが可能である。【００３５】
すなわち、バンドパスフィルタＢＰＦ１〜ＢＰＦｎから出力される任意の段数ｍ（ｍ≦ｎ）分に相当する位相差ｍαをパラメータとする直交関数である、Ｂｃｏｓ（ｍα）で表される位相差検出信号Ｅ1mと、Ｂｓｉｎ（ｍα）で表される位相差検出信号Ｅ2mとを位相差検出部４で検出し、位相差補正部５が、次式（７）で表されるように、位相差ｍαの位相ズレを有している信号成分Ｓｍと移相信号Ｐｍを、その位相差検出信号Ｅ1m，Ｅ2mに基づいて移相処理することにより、位相差ｍαを補正した出力信号Ｓoutを生成して出力することが可能である。【００３６】
【数７】
0004588760.tif 000008
【００３７】
また、以上に説明した位相補正回路１では、バンドパスフィルタＢＰＦ１，ＢＰＦ２によって所望の信号成分Ｓ１，Ｓ２を抽出することとしているが、これらのバンドパスフィルタＢＰＦ１，ＢＰＦ２に代えて、ハイパスフィルタやローパスフィルタ等の他のフィルタによって所望の信号成分を抽出する際、位相ズレを補正することも可能である。【００３８】
また、本実施形態の位相補正回路１は、ＦＭ検波信号から所望のパイロット信号を抽出する際に位相ズレを補正するための用途に限らず、様々な分野での広い用途に利用することが可能な汎用性を有している。【００３９】
また、以上に説明した位相補正回路１と同等の機能をマイクロプロセッサ（ＭＰＵ）やディジタルシグナルプロセッサ（ＤＳＰ）等の電子計算手段にて発揮させるコンピュータプログラムを作成し、そのコンピュータプログラムに従ってマイクロプロセッサ（ＭＰＵ）やディジタルシグナルプロセッサ（ＤＳＰ）等を動作させることで、位相補正の処理を行わせるようにしても良い。
【実施例１】
【００４０】
次に、図１に示した位相補正回路の、より具体的な実施例について図２を参照して説明する。図２（ａ）は、信号抽出部２と移相部３の構成を表したブロック図、図２（ｂ）は、位相差検出部４の構成を表したブロック図、図２（ｃ）は、位相差補正部５の構成を表したブロック図である。【００４１】
図２（ａ）において、信号抽出部２は、図１に示したのと同様に、特性の揃った所定周波数ｆを中心周波数とする所定通過域を有するバンドパスフィルタＢＰＦ１，ＢＰＦ２を有して形成され、入力信号Ｓinに含まれている所望の信号成分をその通過帯域で通過させることで、夫々位相差α，２αでずらした信号成分Ｓ１，Ｓ２として抽出して出力する。移相部３は、信号成分Ｓ２をπ／２の位相で移相してその移相信号Ｐ２を出力する移相器３ａと、信号成分Ｓ１をπ／２の位相で移相してその移相信号Ｐ１を出力する移相器３ｂとを有して形成されている。かかる構成によって演算処理を行うと、前記式（１-ｂ），（１-ｃ）に示した信号成分Ｓ１，Ｓ２がバンドパスフィルタＢＰＦ１，ＢＰＦ２から出力され、前記式（２-ａ），（２-ｂ）に示した位相信号Ｐ１，Ｐ２が移相器３ａ，３ｂから出力される。【００４２】
次に、図２（ｂ）において、位相差検出部４は、乗算器４ａ，４ｂ，４ｃ，４ｄと、加算器４ｅ及び減算器４ｆを有して形成されている。そして、乗算器４ａが信号成分Ｓ１とＳ２を乗算し、乗算器４ｂが信号成分Ｓ２と移相信号Ｐ１を乗算し、乗算器４ｃが信号成分Ｓ１と移相信号Ｐ２を乗算し、乗算器４ｄが移相信号Ｐ１とＰ２を乗算し、更に、加算器４ｅが乗算器４ａと４ｄの乗算結果を加算し、減算器４ｆが乗算器４ｃの演算結果から乗算器４ｂの演算結果を減算する。かかる構成によって演算処理を行うと、減算器４ｆからは、次式（８-ａ）に示すように、位相差αをパラメータとする直交関数である正弦波Ｂｓｉｎ（α）で表される位相差検出信号Ｅ１が出力され、加算器４ｅからは、次式（８-ｂ）に示すように、位相差αをパラメータとする直交関数である余弦波Ｂｃｏｓ（α）で表される位相差検出信号Ｅ２が出力される。【００４３】
【数８】
0004588760.tif 000009
【００４４】
次に、図２（ｃ）において、位相差補正部５は、乗算器５ａ，５ｂ，５ｃ，５ｄと、減算器５ｅ及び加算器５ｆを有して形成されている。そして、乗算器５ａが信号成分Ｓ１と位相差検出信号Ｅ１を乗算し、乗算器５ｂが位相差検出信号Ｅ１と移相信号Ｐ１を乗算し、乗算器５ｃが信号成分Ｓ１と位相差検出信号Ｅ２を乗算し、乗算器５ｄが位相差検出信号Ｅ２と移相信号Ｐ１を乗算し、更に、減算器５ｅが乗算器５ｄの演算結果から乗算器５ａの演算結果を減算し、加算器５ｆが乗算器５ｂの演算結果と乗算器５ｃの演算結果を加算する。かかる構成によって演算処理を行うと、前記式（４）に示した移相処理が行われ、減算器５ｅからは、前記式（５-ａ）に示した余弦波Ｋｃｏｓ（ωｔ）で表される、位相ズレの補正された出力信号Ｓoutが出力され、加算器５ｆからは、前記式（５-ｂ）に示した正弦波Ｋｓｉｎ（ωｔ）で表される、位相ズレの補正された出力信号Ｓoutが出力される。【００４５】
このように、本実施例の位相補正回路によれば、位相差検出部４と位相差補正部５が、小数個の乗算器と加算器と減算器によって形成されるので、素子数の低減、構成の簡素化及び小型化が可能となり、更に、より高速処理が可能な位相補正回路を提供することができる。【００４６】
また、入力信号Ｓinから所望の信号成分を抽出して位相ズレを補正した出力信号Ｓoutを出力するまでの工程に、フィードバックループが存在しないことから、極めて迅速に、その位相ズレを補正した出力信号Ｓoutを出力することができる。【００４７】
また、本実施例の位相補正回路は、アナログ信号処理を行うアナログ回路で形成することも可能であるし、ディジタル信号処理を行うディジタル回路で形成することも可能である。【００４８】
そして、位相補正回路をディジタル回路で形成した場合には、所望の信号成分の周波数精度やサンプリングクロックの精度に依存することなく、精度良く位相ズレを補正し、ディジタル信号から成る出力信号Ｓoutを生成して出力することができる。
【実施例２】
【００４９】
次に、図２に示した位相補正回路の変形例に相当する他の実施例について、図３を参照して説明する。図３（ａ）は、位相差検出部４の構成を表したブロック図、図３（ｂ）は、位相差補正部５の構成を表したブロック図である。【００５０】
本実施例の位相補正回路は、図２（ａ）に示したのと同様の信号抽出部２と移相部３を有し、その信号抽出部２と移相部３から出力される信号成分Ｓ１，Ｓ２と移相信号Ｐ１，Ｐ２が、図３（ａ）に示す位相差検出部４に供給され、更に、位相差検出部４で生成される位相差検出信号Ｅ12，Ｅ22と信号成分Ｓ２と移相信号Ｐ２が、図３（ｂ）に示す位相差補正部５に供給されることにより、位相差補正部５から位相ズレの補正された出力信号Ｓoutが出力されるようになっている。【００５１】
すなわち、図３（ａ）において、本実施例の位相差検出部４は、図２（ｂ）に示した位相差検出部４と同様の構成を有する前段側の位相差検出部４Ｆと、その位相差検出部４Ｆから出力される位相差検出信号Ｅ１，Ｅ２を入力して、更に位相差αを付与した位相差検出信号Ｅ12，Ｅ22を出力する後段側の位相差検出部４Ｒとを有して形成されている。【００５２】
ここで、後段側の位相差検出部４Ｒは、乗算器４ｇ，４ｈ，４ｉと、加算器４ｊ及び減算器４ｋを有して形成されている。そして、乗算器４ｇが、位相差検出部４Ｆから供給される位相差検出信号Ｅ１，Ｅ２を乗算した後、その乗算結果を加算器４ｊが加算することで、位相差が２αとなる位相差検出信号Ｅ12が生成され、また、乗算器４ｉが位相差検出信号Ｅ２を２乗した演算結果と乗算器４ｈが位相差検出信号Ｅ１を２乗した演算結果との差を、減算器４ｋが演算することにより、位相差が２αとなる位相差検出信号Ｅ22が生成される。【００５３】
次に、図３（ｂ）において、位相差補正部５は、図２（ｃ）に示した位相差補正部５と同様の構成を有している。ただし、本実施例の位相差補正部５には、位相差が２αとなる位相差検出信号Ｅ12，Ｅ22と、位相差が２αとなっている信号成分Ｓ２と移相信号Ｐ２が入力されている。かかる構成によると、減算器５ｅからは、次式（９-ａ）に示すように、位相差２αの補正された余弦波Ｋｃｏｓ（ωｔ）で表される出力信号Ｓoutが出力され、また、加算器５ｆからは、次式（９-ｂ）に示すように、位相差２αの補正された正弦波Ｋｓｉｎ（ωｔ）で表される出力信号Ｓoutが出力される。【００５４】
【数９】
0004588760.tif 000010
【００５５】
以上に説明したように、本実施例の位相補正回路によれば、位相差補正部５が、位相差２αをパラメータとする直交関数である位相差検出信号Ｅ12，Ｅ22に基づいて、位相差２αとなっている信号成分Ｓ２と移相信号Ｐ２を移相処理することで、位相ズレを補正した出力信号Ｓoutを出力することが可能となっている。【００５６】
また、入力信号Ｓinから所望の信号成分を抽出して位相ズレを補正した出力信号Ｓoutを出力するまでの工程に、フィードバックループが存在しないことから、極めて迅速に、その位相ズレを補正した出力信号Ｓoutを出力することができる。【００５７】
また、本実施例の位相補正回路は、アナログ信号処理を行うアナログ回路で形成することも可能であるし、ディジタル信号処理を行うディジタル回路で形成することも可能である。【００５８】
そして、位相補正回路をディジタル回路で形成した場合には、所望の信号成分の周波数精度やサンプリングクロックの精度に依存することなく、精度良く位相ズレを補正し、ディジタル信号から成る出力信号Ｓoutを生成して出力することができる。
【実施例３】
【００５９】
次に、図２に示した実施例の変形例に相当する更に他の実施例について、図４を参照して説明する。【００６０】
図２に示した実施例では、同図（ａ）に示したように、直列接続されたバンドパスフィルタＢＰＦ１，ＢＰＦ２から出力される各信号成分Ｓ１，Ｓ２に対して、移相部３がπ／２で移相することで、移相信号Ｐ１，Ｐ２を生成する構成となっているのに対し、本実施例の位相補正回路では、図４に示すように、特性の揃ったバンドパスフィルタＢＰＦ１，ＢＰＦ２から成る２組のフィルタ群Ｇ１，Ｇ２を備え、一方のフィルタ群Ｇ１の入力段側にπ／２の移相を行う移相部３を設けると共に、他方のフィルタ群Ｇ２の入力段側には移相部を設けない構成となっている。そして、かかる構成において、フィルタ群Ｇ２から出力される信号成分Ｓ１，Ｓ２とフィルタ群Ｇ１から出力される移相信号Ｐ１，Ｐ２とを、図２（ｂ）に示した位相差検出部４に供給することで、位相差検出信号Ｅ１，Ｅ２を生成し、更にその位相差検出信号Ｅ１，Ｅ２と信号成分Ｓ１及び移相信号Ｐ１とを、図２（ｃ）に示した位相差補正部５に供給することで、位相差αを補正した出力信号Ｓoutを生成して出力させるようになっている。【００６１】
このように、本実施例の位相補正回路によれば、移相部３によって入力信号Ｓinを移相してから、バンドパスフィルタＢＦＰ，ＢＰ２に通す構成とすることが可能である。【００６２】
また、入力信号Ｓinから所望の信号成分を抽出して位相ズレを補正した出力信号Ｓoutを出力するまでの工程に、フィードバックループが存在しないことから、極めて迅速に、その位相ズレを補正した出力信号Ｓoutを出力することができる。【００６３】
また、本実施例の位相補正回路は、アナログ信号処理を行うアナログ回路で形成することも可能であるし、ディジタル信号処理を行うディジタル回路で形成することも可能である。【００６４】
そして、位相補正回路をディジタル回路で形成した場合には、所望の信号成分の周波数精度やサンプリングクロックの精度に依存することなく、精度良く位相ズレを補正し、ディジタル信号から成る出力信号Ｓoutを生成して出力することができる。
【図１】
0004588760.tif 000011
【図２】
0004588760.tif 000012
【図３】
0004588760.tif 000013
【図４】
0004588760.tif 000014